(57)【要約】      （修正有）【課題】待機電力の消費が無く、誤作動も皆無となる差込検知式コンセントを提供する。【解決手段】ＩＣチップの情報を認証する認証システム７と、認証システム７から延設し受刃金具２と電源とを接続した接続回路３に介装したリレー５と、受刃金具２にプラグ栓刃Ａが挿通されたことを検知する検知用端子６と、検知用端子で検知した情報を認証システム７に伝える検知用回路６ａとを備え、コンセント本体１に内装された受刃金具２にプラグ栓刃Ａが挿通されるとプラグ栓刃２と検知用端子６とが機械的に接触して短絡し検知し、認証システム７はプラグ栓刃Ａが挿通されている状態でＩＣチップの情報を認証した時のみリレー５を起動させ受刃金具と電源とを通電状態となる。【選択図】図４
2014053239.tif 000002
【特許請求の範囲】
【請求項１】
コンセント本体と、該コンセント本体の上面に開口させた一対のプラグ栓刃の差込口と、該一対のプラグ栓刃の差込口の直下のコンセント本体に内装された一対の栓刃受刃部を有した一対の受刃金具と、該一対の受刃金具と接続回路を介して接続された電源と、前記受刃金具と電源との接続回路に介装したリレーと、該リレーと接続した前記受刃金具にプラグ栓刃が挿通されたことを検知する検知用端子と、を備え、前記受刃金具に前記プラグ栓刃が挿通されると、前記プラグ栓刃と前記検知用端子とが機械的に接触して短絡し、前記リレーが通電して作動し前記電源と前記一対の受刃金具とが通電状態となることを特徴とする差込検知式コンセント。
【請求項２】
コンセント本体と、該コンセント本体の上面に開口させた一対のプラグ栓刃の差込口と、該一対のプラグ栓刃の差込口の直下のコンセント本体に内装された一対の栓刃受刃部を有した一対の受刃金具と、該一対の受刃金具と接続回路を介して接続された電源と、（不要と有りますが消すと発明の構成が保てません。）該電源に接続したＩＣチップの情報を認証する認証システムと、該認証システムから延設し前記受刃金具と前記電源とを接続した前記接続回路に介装したリレーと、（不要と有りますが消すと発明の構成が保てません。）前記受刃金具に前記プラグ栓刃が挿通されたことを検知する検知用端子と、該検知用端子で検知した情報を前記認証システムに伝える検知用回路と、を備え、前記コンセント本体に内装された前記受刃金具の前記栓刃受刃部に前記プラグ栓刃が挿通されると、前記プラグ栓刃と前記検知用端子とが機械的に接触して短絡し前記検知用回路を介して前記認証システムは前記プラグ栓刃の挿通を検知し、前記認証システムは前記プラグ栓刃が挿通されている状態でＩＣチップの情報を認証した時のみ、前記リレーを起動させ前記受刃金具と前記電源とを通電状態となることを特徴とする差込検知式コンセント。
【発明の詳細な説明】
【技術分野】
【０００１】
本発明は、差込検知式コンセントに関するものであり、更に詳細には、プラグ栓刃をコンセント本体の差込口に挿通させている時のみ通電状態となる差込検知式コンセントに関するものである。
【背景技術】
【０００２】
従来の差込検知式コンセントは、常時ＩＣチップを検知する状態となっているために待機電力が消費されると共に、プラグが挿通されていない状態でも認証に対応したＩＣチップもかざすだけで意図しないのに認証するために容易に誤作動が発生していた。
【０００３】
例えば、先に開示されている、コンセントに差し込まれるコンセントプラグ１０００に装着したＩＣタグ１００１のデータを読取る読取装置１０１と、コンセントプラグが緩みＩＣタグのデータ読取りが一定期間に間欠（断続動作）となった場合に異常を検知する異常検知部１０２と、コンセントプラグの異常を通知する異常通報部１０４とを備えるもの（特許文献１参照）や、電動車両用充電コンセント３と車載充電器８、バッテリー６およびコンセントプラグ７とを備えた、電動車両用充電システムにおいて、充電コンセント３側に許容電流容量などの情報の提供装置４を設けるとともに、車載充電器８側に情報提供装置４による情報読み取り装置１０と読み取った情報に応じて充電時の最大電流容量などの充電条件を変更する制御装置１１とを設けているもの（特許文献２参照）がある。
【特許文献１】特開２００６−１３９９２９号公報
【特許文献２】特開２０１０−２２０４０１号公報
【発明の開示】
【発明が解決しようとする課題】
【０００４】
そして、特許文献１のものは、コンセントに差し込まれるコンセントプラグ１０００に装着したＩＣタグ１００１のデータを読取る読取装置１０１を備えたものであるが、コンセントやコンセントプラグは絶えず通電状態となっているものであり、また、特許文献２のものは、充電コンセント３側に許容電流容量などの情報の提供装置４を設けるとともに、車載充電器８側に情報提供装置４による情報読み取り装置１０と読み取った情報に応じて充電時の最大電流容量などの充電条件を変更する制御装置１１とを設けているものであるが、待機電力は消費されるものである。
【課題を解決するための手段】
【０００５】
本発明は前記課題に鑑み、鋭意研鑽の結果、これらの課題を解決するもので、コンセント本体と、コンセント本体の上面に開口させた一対のプラグ栓刃の差込口と、一対のプラグ栓刃の差込口の直下のコンセント本体に内装された一対の栓刃受刃部を有した一対の受刃金具と、一対の受刃金具と接続回路を介して接続された電源と、受刃金具と電源との接続回路に介装したリレーと、リレーと接続した受刃金具にプラグ栓刃が挿通されたことを検知する検知用端子と、を備え、受刃金具にプラグ栓刃が挿通されると、プラグ栓刃と検知用端子とが機械的に接触して短絡し、リレーが通電して作動し電源と一対の受刃金具とが通電状態となるものであり、更には、電源に接続したＩＣチップの情報を認証する認証システムと、認証システムから延設し受刃金具と電源とを接続した接続回路に介装したリレーと、受刃金具にプラグ栓刃が挿通されたことを検知する検知用端子と、検知用端子で検知した情報を認証システムに伝える検知用回路と、を備え、コンセント本体に内装された受刃金具の栓刃受刃部にプラグ栓刃が挿通されると、プラグ栓刃と検知用端子とが機械的に接触して短絡し検知用回路を介して認証システムはプラグ栓刃の挿通を検知し、認証システムはプラグ栓刃が挿通されている状態でＩＣチップの情報を認証した時のみ、リレーを起動させ受刃金具と電源とを通電状態となるものである。
【０００６】
つまり、従来の差込検知式コンセントは、図５に図示するように、コンセント本体の上面に開口させた一対のプラグ栓刃の差込口と、該一対のプラグ栓刃の差込口の直下のコンセント本体に内装された一対の栓刃受刃部を有した一対の受刃金具と、該一対の受刃金具と接続回路を介して接続された電源と、該電源に接続したＩＣチップの情報を認証する認証システムと、該認証システムから延設し前記受刃金具と前記電源とを接続した前記接続回路に介装したリレーと、を備え、前記認証システムでＩＣチップの情報を認証させているものであるが、常時、ＩＣチップをセンスしているため前記受刃金具と前記電源とは通電状態と成っており、待機電力を消費すると共に、不用意にＩＣチップをかざすとプラグ挿通状態でなくとも認証システムが勝手に認証してしまい誤作動の要因となっている。
【発明の効果】
【０００７】
本発明の差込検知式コンセントは、コンセント本体と、コンセント本体の上面に開口させた一対のプラグ栓刃の差込口と、一対のプラグ栓刃の差込口の直下のコンセント本体に内装された一対の栓刃受刃部を有した一対の受刃金具と、一対の受刃金具と接続回路を介して接続された電源と、受刃金具と電源との接続回路に介装したリレーと、リレーと接続した受刃金具にプラグ栓刃が挿通されたことを検知する検知用端子と、を備え、受刃金具の栓刃受刃部にプラグ栓刃が挿通されると、プラグ栓刃と検知用端子とが接触して短絡し検知用回路を介して認証システムはプラグ栓刃の挿通を検知し、認証システムでプラグ栓刃が挿通されている状態でＩＣチップの情報を認証した時のみ、リレーを起動させ受刃金具と電源とを通電状態となるものであり、待機電力の消費が無く、更に、ＩＣチップによる誤作動も皆無となるもので、画期的で実用性の高い発明である。
【発明を実施するための最良の形態】
【０００８】
以下、本発明の差込検知式コンセントの実施の形態を図面によって具体的に説明すると、図１は本発明の差込検知式コンセントの実施例の電源ＯＦＦ時の説明図であり、図２は本発明の差込検知式コンセントの実施例の電源ＯＮ時の説明図であり、図３は本発明の差込検知式コンセントの次実施例の使用状態の電源ＯＦＦ時の説明図であり、図４は本発明の差込検知式コンセントの次実施例の使用状態の電源ＯＮ時の説明図であり、図５は従来の差込検知式コンセントの説明図である。
【０００９】
本発明は、差込検知式コンセントに関するものであり、更に詳細には、プラグ栓刃をコンセント本体の差込口に挿通させている時のみ通電状態となる差込検知式コンセントに関するものであり、請求項１に記載の差込検知式コンセントは、コンセント本体１と、該コンセント本体１の上面に開口させた一対のプラグ栓刃Ａの差込口１ａと、該一対のプラグ栓刃Ａの差込口１ａの直下のコンセント本体１に内装された一対の栓刃受刃部２ａを有した一対の受刃金具２と、該一対の受刃金具２と接続回路３を介して接続された電源４と、前記受刃金具２と電源４との接続回路３に介装したリレー５と、該リレー５と接続した前記受刃金具２にプラグ栓刃Ａが挿通されたことを検知する検知用端子６と、を備え、前記受刃金具２に前記プラグ栓刃Ａが挿通されると、前記プラグ栓刃Ａと前記検知用端子６とが機械的に接触して短絡し、前記リレー５が通電して作動し前記電源４と前記一対の受刃金具２とが通電状態となることを特徴とするものである。
【００１０】
更に、請求項２に記載の差込検知式コンセントは、コンセント本体１と、該コンセント本体１の上面に開口させた一対のプラグ栓刃Ａの差込口１ａと、該一対のプラグ栓刃Ａの差込口１ａの直下のコンセント本体１に内装された一対の栓刃受刃部２ａを有した一対の受刃金具２と、該一対の受刃金具２と接続回路３を介して接続された電源４と、該電源４に接続したＩＣチップ７ａの情報を認証する認証システム７と、該認証システム７から延設し前記受刃金具２と前記電源４とを接続した前記接続回路３に介装したリレー５と、前記受刃金具２に前記プラグ栓刃Ａが挿通されたことを検知する検知用端子６と、該検知用端子６で検知した情報を前記認証システム７に伝える検知用回路６ａと、を備え、前記コンセント本体１に内装された前記受刃金具２の前記栓刃受刃部２ａに前記プラグ栓刃Ａが挿通されると、前記プラグ栓刃Ａと前記検知用端子７とが機械的に接触して短絡し前記検知用回路６ａを介して前記認証システム７は前記プラグ栓刃Ａの挿通を検知し、前記認証システム７は前記プラグ栓刃Ａが挿通されている状態でＩＣチップ７ａの情報を認証した時のみ、前記リレー５を起動させ前記受刃金具２と前記電源４とを通電状態となることを特徴とするものである。
【実施例】
【００１１】
即ち、本発明の差込検知式コンセントの実施例は、図１及び図２に図示するもので、コンセント本体１と、コンセント本体１に内装された一対の受刃金具２とから成るものであり、コンセント本体１の上面には少なくとも一対のプラグ栓刃Ａの差込口１ａが開口されているものである。
【００１２】
そして、一対の受刃金具２は、一対のプラグ栓刃Ａの差込口１ａの直下のコンセント本体１に内装されているもので、略Ｕ字状に対峙させて立設した一対の弾性片でプラグ栓刃Ａを弾性により挟持させる一対の栓刃受刃部２ａを有しているものである。
【００１３】
次に、電源４は、商業電源４、又は、商業電源４から延長コード等で延設させた電源４でも良く、一対の受刃金具２とは接続回路３を介して接続させているものである。
【００１４】
次いで、リレー５は、受刃金具２と電源４との接続回路３の片方に介装しているもので、後述する検知用端子６でプラグ栓刃Ａの挿通が検知されると、コイル側が短絡してリレー５を起動させ通電状態になりスイッチが作動してＯＮの状態と成るものである。
【００１５】
更に、検知用端子６は、一対の受刃金具２の何れか一方の受刃金具２の近傍に設けられ、プラグ栓刃Ａが栓刃受刃部２ａを通過して挿通されると、検知用端子６と受刃金具２とが機械的に接触して、短絡するものである。
【００１６】
つまり、栓刃受刃部２ａにプラグ栓刃Ａが挿通されると検知用端子６と栓刃受刃部２ａが短絡して、リレー５のコイル側に電流が流れスイッチがＯＮ状態となり、電源４と一対の受刃金具２とが通電状態となるものである。
【００１７】
そして、次実施例の差込検知式コンセントでは、前述の実施例に加えて、認証システム７はＩＣチップ７ａの情報を認証した時のみ、コイル側が短絡してリレー５を起動させ通電状態になりスイッチが作動して、電源４と一対の受刃金具２とが通電状態となるものである。
【００１８】
つまり、コンセント本体１に内装された受刃金具２の栓刃受刃部２ａを通過してプラグ栓刃Ａが挿通されると、プラグ栓刃Ａと検知用端子６とが機械的に接触して短絡し検知用回路６ａを介して認証システム７が通電状態になるものである。
【００１９】
そして、認証システム７は、ＩＣチップ７ａの情報を認証した時のみ、リレー５を起動させ受刃金具２と電源４とを通電状態となるものである。
【産業上の利用可能性】
【００２０】
本発明は、コンセント本体と、コンセント本体の上面に開口させた一対のプラグ栓刃の差込口と、一対のプラグ栓刃の差込口の直下のコンセント本体に内装された一対の栓刃受刃部を有した一対の受刃金具と、一対の受刃金具と接続回路を介して接続された電源と、受刃金具と電源との接続回路に介装したリレーと、リレーと接続した受刃金具にプラグ栓刃が挿通されたことを検知する検知用端子と、を備え、受刃金具の栓刃受刃部にプラグ栓刃が挿通されると、プラグ栓刃と検知用端子とが接触して短絡し検知用回路を介して認証システムはプラグ栓刃の挿通を検知し、認証システムでプラグ栓刃が挿通されている状態でＩＣチップの情報を認証した時のみ、リレーを起動させ受刃金具と電源とを通電状態となるものであり、待機電力の消費が無く、更に、ＩＣチップによる誤作動も皆無となる差込検知式コンセントを提供するものである。
【図面の簡単な説明】
【００２１】
【図１】図１は本発明の差込検知式コンセントの実施例の電源ＯＦＦ時の説明図である。
【図２】図２は本発明の差込検知式コンセントの実施例の電源ＯＮ時の説明図である。
【図３】図３は本発明の差込検知式コンセントの次実施例の使用状態の電源ＯＦＦ時の説明図である。
【図４】図４は本発明の差込検知式コンセントの次実施例の使用状態の電源ＯＮ時の説明図である。
【図５】図５は従来の差込検知式コンセントの説明図である。
【符号の説明】
【００２２】
Ａ      プラグ栓刃
１      コンセント本体
１ａ    プラグ栓刃の差込口
２      受刃金具
２ａ    栓刃受刃部
３      接続回路
４      電源
５      リレー
６      検知用端子
６ａ    検知用回路
７      認証システム
７ａ    ＩＣチップ
【図１】
2014053239.tif 000003
【図２】
2014053239.tif 000004
【図３】
2014053239.tif 000005
【図４】
2014053239.tif 000006
【図５】
2014053239.tif 000007